(57)【要約】  本発明の目的は、前記の課題を解決するための発明であって、自動分析装置の検索画面表示などに関する制御を可能にする自動分析装置を提供することである。検体の分析を行う分析部２と、検体ＩＤと当該検体ＩＤ毎に対応して記録される複数の属性情報とを含む検体情報を記憶する記憶部２０と、検体情報の検索時に複数の属性情報のうち抽出する属性情報を設定する優先条件設定部１１と、入力された検体ＩＤの文字列に応じて記憶部に記憶された検体情報のうち文字列に適合する検体ＩＤを検索結果として表示する画面を制御する画面制御部１２と、を備え、画面制御部１２は、画面に検体ＩＤの文字列の部分的な文字列が入力されたときに、優先条件設定部１１で設定された属性情報と部分的な文字列に基づき、記憶部に記憶された検体情報から特定の検体情報を検索結果として前記画面に表示する。
2018037879.tif 000002
【特許請求の範囲】
【請求項１】
検体の分析を行う分析部と、
検体ＩＤと当該検体ＩＤ毎に対応して記録される複数の属性情報とを含む検体情報を記憶する記憶部と、
検体情報の検索時に前記複数の属性情報のうち抽出する属性情報を設定する優先条件設定部と、
入力された検体ＩＤの文字列に応じて前記記憶部に記憶された検体情報のうち前記文字列に適合する検体ＩＤを検索結果として表示する画面を制御する画面制御部と、を備え、
前記画面制御部は、前記画面に検体ＩＤの文字列の桁数未満からなる第１の文字列が入力されたときに、前記優先条件設定部で設定された属性情報と前記第１の文字列に基づき、前記記憶部に記憶された検体情報から特定の検体情報を検索結果として前記画面に表示することを特徴とする自動分析装置。
【請求項２】
請求項１に記載の自動分析装置において、前記属性情報は、検体の優先度情報、エラー情報、装置内の滞在時間に関する情報のいずれかの情報を含むことを特徴とする自動分析装置。
【請求項３】
請求項１に記載の自動分析装置において、前記画面制御部は、前記記憶部に記憶された検体情報にうち、前記優先条件設定部で設定された属性情報を含み、且つ、前記第１の文字列を含む検体ＩＤに対応する検体情報を前記特定の検体情報として前記画面に表示することを特徴とする自動分析装置。
【請求項４】
請求項１に記載の自動分析装置において、前記画面制御部は、前記画面に入力された文字列を定期的又は文字列の更新時に取得し、新たに取得した前記第１の文字列に基づき、前記特定の検体情報を更新して検索結果として前記画面に表示することを特徴とする自動分析装置。
【請求項５】
請求項２に記載の自動分析装置において、前記優先度情報には、通常と緊急の２値が少なくとも含まれることを特徴とする自動分析装置。
【請求項６】
請求項２に記載の自動分析装置において、前記エラー情報には、詰まりエラー、検体不足エラー、分析値の指定範囲外エラーのいずれかが少なくとも含まれることを特徴とする自動分析装置。
【請求項７】
検体ＩＤと当該検体ＩＤ毎に対応して記録される複数の属性情報とを含む検体情報を記憶する記憶部と、
検体情報の検索時に前記複数の属性情報のうち抽出する属性情報を設定する優先条件設定部と、
入力された検体ＩＤの文字列に応じて前記記憶部に記憶された検体情報のうち前記文字列に適合する検体ＩＤを検索結果として表示する画面を制御する画面制御部と、を備え、
前記画面制御部は、前記画面に検体ＩＤの文字列の桁数未満からなる第１の文字列が入力されたときに、前記優先条件設定部で設定された属性情報と前記第１の文字列に基づき、前記記憶部に記憶された検体情報から特定の検体情報を検索結果として前記画面に表示することを特徴とする情報処理装置。
【発明の詳細な説明】
【技術分野】
【０００１】
本発明は、臨床検査において使用される自動分析装置に関する。
【背景技術】
【０００２】
血液、尿等の患者提供の試料を自動的に分析する自動分析装置は、多くの病院、検査センター等で、分析の省力化のために使われている。このような装置では、医師の問い合わせに応じて検体に関する分析の進捗情報を取得したり、検体の詰まりや不足に対処するために検体を回収したりする必要がある。そのため、多くの分析装置は、検体を一意に識別するＩＤを検索キーとして検体の情報を検索し、検索結果の検体に対して、分析の進捗状況表示や、検体回収を行う機能を備えている。【０００３】
特開２０１６−１４６８６号公報（特許文献１）では、検体ＩＤを検索キーとして、検体ＩＤが完全に一致する検体情報を検索し、その検体に対して回収する方法が開示されている。
【先行技術文献】
【特許文献】
【０００４】
【特許文献１】特開２０１６−１４６８６号公報
【発明の概要】
【発明が解決しようとする課題】
【０００５】
上記方法は、検索ＩＤの文字列長が短ければ、優れた方法である。しかし、検体ＩＤの文字列長が長い自動分析装置においては、操作者が検体ＩＤを入力する手間がかかるという問題がある。【０００６】
本発明の目的は、自動分析装置の検体検索画面における検索情報結果候補の表示などに関する制御を可能にする自動分析装置を提供することである。
【課題を解決するための手段】
【０００７】
本発明の代表的な発明は以下のとおりである。【０００８】
本発明は、検体の分析を行う分析部と、検体ＩＤと当該検体ＩＤ毎に対応して記録される複数の属性情報とを含む検体情報を記憶する記憶部と、検体情報の検索時に前記複数の属性情報のうち抽出する属性情報を設定する優先条件設定部と、入力された検体ＩＤの文字列に応じて前記記憶部に記憶された検体情報のうち前記文字列に適合する検体ＩＤを検索結果として表示する画面を制御する画面制御部と、を備え、前記画面制御部は、前記画面に検体ＩＤの文字列の桁数未満からなる第１の文字列が入力されたときに、前記優先条件設定部で設定された属性情報と前記第１の文字列に基づき、前記記憶部に記憶された検体情報から特定の検体情報を検索結果として前記画面に表示する自動分析装置である。【０００９】
また、別の代表的な発明は、検体ＩＤと当該検体ＩＤ毎に対応して記録される複数の属性情報とを含む検体情報を記憶する記憶部と、検体情報の検索時に前記複数の属性情報のうち抽出する属性情報を設定する優先条件設定部と、入力された検体ＩＤの文字列に応じて前記記憶部に記憶された検体情報のうち前記文字列に適合する検体ＩＤを検索結果として表示する画面を制御する画面制御部と、を備え、前記画面制御部は、前記画面に検体ＩＤの文字列の桁数未満からなる第１の文字列が入力されたときに、前記優先条件設定部で設定された属性情報と前記第１の文字列に基づき、前記記憶部に記憶された検体情報から特定の検体情報を検索結果として前記画面に表示する情報処理装置である。
【発明の効果】
【００１０】
本発明は、自動分析装置の検体検索画面における検索情報結果候補の表示などに関する制御を可能にする。【００１１】
本発明に関連する更なる特徴は、本明細書の記述、添付図面から明らかになるものである。また、上記した以外の、課題、構成及び効果は、以下の実施例の説明により明らかにされる。
【図面の簡単な説明】
【００１２】
【図１】本発明の実施例に係る自動分析装置の構成の例を示す図である。
【図２】自動分析部の構成の例を示す図である。
【図３】優先条件設定画面の例を示す図である。
【図４】優先条件情報用のテーブルの例を示す図である。
【図５】検体情報用のテーブルの例を示す図である。
【図６】検体情報検索画面の例を示す図である。
【図７】検索結果候補情報を表示した例を示す図である。
【図８】検索結果候補情報の取得アルゴリズムの例を示す図である。
【発明を実施するための形態】
【００１３】
以下、添付図面を参照して本発明の実施例について説明する。なお、添付図面は本発明の原理に則った具体的な実施例を示しているが、これらは本発明の理解のためのものであり、決して本発明を限定的に解釈するために用いられるものではない。
【００１４】
また、以後の説明では、実施例において扱われる情報について「テーブル」構造を用いて説明するが、これら情報は必ずしもテーブルによるデータ構造で表現されていなくても良く、リスト、ＤＢ、キュー等のデータ構造やそれ以外で表現されていても良い。そのため、データ構造に依存しないことを示すために、以下では各種データを単に「情報」と呼ぶことがある。
【００１５】
図１は、本発明の実施例に係る自動分析装置の構成の例を示す図である。図１に示すように、自動分析装置は、画面制御設定支援部１と、分析を行う自動分析部２と、自動分析装置操作者端末３と、を備える。画面制御設定支援部１は、コンピュータなどの情報処理装置によって構成されており、処理部１０、記憶部２０、およびネットワークインタフェース３０などを備える。処理部１０は、その機能ブロックとして、優先条件設定部１１と、画面制御部１２とを含んで構成される。記憶部２０は、優先条件情報２１および検体情報２２を記憶する。検討情報２２には検体ＩＤと検体ＩＤ毎に対応して記録される複数の属性情報を含んでいる。なお属性情報については後述する。
【００１６】
処理部１０は、記憶部２０に格納されたプログラムを実行することで、各構成要素（例えば、通信部（図示せず））を統括的に制御し、様々な演算処理を行う。具体的には、処理部は、ＣＰＵ（Central Processing Unit）で実行される。記憶部２０は、プログラムやデータを永続的に記憶するために用いられるものであり、大容量の磁気メモリであるハードディスクなどで構成される。ネットワークインタフェースは、ネットワークを介して、データのやり取りを行うためのインタフェースである。
【００１７】
以上のように、コンピュータによって構成された画面制御設定支援部１において、図１に示した機能ブロックは、処理部１０が記憶部２０に格納されている各機能ブロックに対応する所定のプログラムを実行することによって実現される。従って、画面制御設定支援部１の各機能ブロックの動作主体は、処理部１０である。なお、このような場合、各機能ブロックの動作を記載するとき、その主語は処理部とすべきであるが、本明細書では、各機能ブロックの動作を記載するとき、その主語としてその機能ブロック名を用いる。
【００１８】
さらに、図１に示すように、画面制御設定支援部１は、ネットワークインタフェース３０によりネットワーク４に接続され、さらに、そのネットワーク４を介して自動分析装置操作者が使用する複数の自動分析装置操作者端末３に接続されている。このとき、自動分析装置操作者端末３は、通常、ＣＰＵと記憶装置を備えたコンピュータによって構成されるが、機能的には、画面制御設定支援部１の表示装置や入出力装置などとして用いられる。なお、以下では、自動分析装置操作者端末３を「操作者端末３」と、自動分析装置操作者を「操作者」と、適宜略記する。
【００１９】
また、本実施例では、画面制御設定支援部１の各機能ブロックが、ネットワークインタフェース３０およびネットワーク４を介して操作者端末３から情報を取得したり（すなわち、操作者端末３から情報が入力される）、ネットワークインタフェースおよびネットワークを介して操作者端末３へ情報を出力（表示）したりする場合、単に、操作者端末３から情報を入力（取得）する、あるいは、操作者端末３へ情報を出力（表示）する、と記載する。
【００２０】
なお、図１に示した機能ブロックの構成の例では、画面制御設定支援部１は、１つのコンピュータによって構成されているが、画面制御設定支援部１は、ネットワークなどで相互に接続された複数のコンピュータによって構成されていてもよい。例えば、優先条件設定部１１および画面制御部１２のそれぞれが、それぞれ異なるコンピュータ上に実現されてもよい。また、操作者端末３がコンピュータによって構成された場合には、優先条件設定部１１の機能が操作者端末３上に実現されてもよい。
【００２１】
次に、図１を参照して、画面制御設定支援部１の各機能ブロックの概要について説明する。優先条件設定部１１は、操作者が、画面の制御設定を入力するのを支援する機能ブロックである。優先条件設定部１１は、操作者端末３に設定画面を表示する。操作者は、検索ＩＤを検索キーとした検体情報の検索時に、検索結果の候補として優先表示する条件の設定を行う。その設定情報は、優先条件情報２１として記憶部に格納される。画面制御部１２は、検体ＩＤを検索キーとして検体情報を検索する画面を操作者端末３に表示する機能ブロックである。画面制御部１２は、画面に入力された検体ＩＤの文字列に応じて記憶部に記憶された検体情報のうち文字列に適合する検体ＩＤを検索結果として表示する画面を制御する。画面制御部１２は、操作者が検索ＩＤを入力しているときに、優先条件情報を利用して、検索結果の候補を表示する。
【００２２】
次に、図２を参照して、自動分析部２の機能の概要について説明する。図２は、自動分析部の構成の例を示す図である。自動分析部２は、１個または複数個の分析機構部２０１と、検体を搬送する搬送ライン（図示せず）から構成される。搬送ラインによって、試料は割り当てられた分析が実施できる分析機構部２０１に搬送される。分析機構部２０１は、試料を試験管から吸引し、その試料を化学反応および計測を行うための反応セル２０４に分注する。また、分析機構部２０１は、試薬プローブ２０３を用いて、試薬を試薬ディスク２０２から、試料を分注した反応セル２０４に注入し、化学反応させる。その結果、分析機構部２０１に設けられた吸光度センサで観測した吸光度の変化により、試料内の成分を分析する。
【００２３】
ここで、自動分析部２は、分析中の試薬プローブ２０３での詰まり発生や検体量の不足を検知したりして、検体の不正を検知した場合、検体エラーとしてネットワークインタフェース３０を通じて、画面制御部１２に通知する。画面制御部１２は、該当の検体の検体情報２２に、検体エラーの情報を追加する。また、分析結果の値が規定の値の範囲外のときには、結果エラーの情報を画面制御部１２に通知する。画面制御部１２は、該当の検体の検体情報２２に、結果エラーの情報を追加する。
【００２４】
次に、図３、及び図４を用いて、優先条件設定部１１の機能を詳しく説明する。図３は、優先条件設定部１１が操作者端末３に表示する優先条件設定画面２００を示している。なお、優先条件設定部１１は、既に設定されている優先条件情報２１を修正する場合には、記憶部２０から優先条件情報２１を読み出し、優先条件設定画面２００を操作者端末３上に表示させる。
【００２５】
優先情報設定部１１は、検体情報の検索時に複数の属性情報のうち抽出する属性情報を設定する。なお、この設定は優先条件設定画面を介して操作者が行う。検体情報には、検体ＩＤと検体ＩＤ毎に対応して記録される複数の属性情報が含まれているため、抽出する属性情報を設定することでより検索結果候補を絞り込むことができる。
【００２６】
優先条件設定画面２００に表示される優先条件情報２１は、画面表示部２２が検索結果候補の表示に利用する特定の優先条件を表現する情報である。優先条件情報２１は、レコードの属性として、条件ＩＤ２１１と、条件名２１２と、優先度２１３と、エラー２１４と、装置内での検体の滞在時間２１５とを有する。ここでは複数の属性情報として、優先度２１３、エラー２１４及び滞在時間２１５を優先して表示する条件として用いる例を示している。
【００２７】
ここで、条件ＩＤ２１１は、優先条件情報２１に、優先条件設定部１１が一意に付与するＩＤである。条件名２１２は、検索結果候補を表示する際に、表示する文字列であり、優先条件設定画面２００で操作者が入力する。
【００２８】
優先度２１３は、自動分析部２での分析や搬送制御の優先度を表し、少なくとも通常と緊急の２値から選択され、緊急が指定された検体は分析や搬送制御が、通常が指定された検体より先に実施され、分析結果が先に得られることを意味する。
【００２９】
エラー２１４は、検体にエラーが存在することを表す。条件ＩＤ２のレコードの例では、分析中の試薬プローブ２０３での詰まり（詰まりエラー）や検体量不足（検体不足エラー）があることを表し、条件ＩＤ３のレコードでは分析結果の値が規定の値の範囲より大きいこと（分析値の指定範囲外エラー）を示す。エラー２１４の属性には、検体に関する複数のエラーを指定することができる。
【００３０】
滞在時間２１５は、自動分析部２で検体を認識してから現在時刻までの時間が、入力された時間以上であることを示す。
【００３１】
優先条件情報２１は、同時に優先度、エラー及び滞在時間を入力することができ、1レコードに入力された属性の論理積で解釈される。例えば、優先度２１３、エラー２１４及び滞在時間２１５を全て入力されたときは、特定の優先度が設定され、かつ、特定のエラーが検体情報に存在し、かつ、特定の時間以上、自動分析部内に検体が滞在していることを意味し、画面制御部１２がその条件を満たす検体情報を優先的に検索結果候補とする。
【００３２】
優先条件設定画面２００では、優先条件追加ボタン２１６を操作者が押下したとき、条件ＩＤ２１１以外が空の優先条件情報２１のレコードが追加される。条件ＩＤ２１１は優先条件設定部１１が自動的に一意になるように設定する。操作者は、優先条件設定画面２００において、追加された新しいレコードの各属性の値を入力する。なお、操作者は、優先条件設定画面２００において、既に設定されている優先条件情報のレコードを編集することもできる。優先条件設定部１１は、優先条件設定画面２００において優先条件情報２１が入力または修正されたとき、その入力または修正された情報を記憶部２０に格納する。
【００３３】
図４は、優先条件情報２１を格納するテーブルを示す。優先条件情報２１用のテーブルは、前述のとおり、属性として、条件ＩＤ２１１、条件名２１２、優先度２１３、エラー２１４、滞在時間２１５を有する。
【００３４】
次に、図５、図６、図７及び図８を用いて、画面制御部１２の機能を詳しく説明する。
【００３５】
画面制御部１２は、自動分析部２からネットワーク４を介して送信された検体に関する情報をもとに、検体情報２２を生成する。
【００３６】
図５は、検体情報２２を格納するテーブルを示す。検体情報２２用のテーブルは、属性として、検体ＩＤ２２１と、検体種別２２２と、優先度２２３と、エラー２２４と、投入時刻２２５を有する。
【００３７】
自動分析部２は、検体が投入されると、画面制御部１２に通知する。画面制御部１２は、検体情報２２のレコードを生成する。検体ＩＤ２２１は、自動分析部２が検体容器に貼付されたバーコードの情報を読み取り画面制御部１２に送信し、画面制御部１２が設定する。検体種別２２２は、あらかじめ定義された検体ＩＤと検体種別の対応を格納したデータベースの情報をもとに設定する。優先度２２３は操作者端末３から操作者が設定できるように機能を設ける。エラー２２４は、画面制御部１２が、自動分析部２が画面制御部１２に送信したエラー情報を用いて、設定する。投入時刻２２５は、検体情報２２を作成した情報を設定する。よって、投入時刻２２５は、検体を自動分析部２が認識した後に、画面制御部１２に通知した時刻を示す。
【００３８】
ここで、優先度２２３は、画面制御部１２が、あらかじめ定義された検体ＩＤ２２１と優先度の対応を格納したデータベースを用いて設定してもよい。従い、優先度２２３は通常と緊急の２値以外でも優先度に関する優先度情報であればよい。
【００３９】
図６は、画面制御部１２が操作者端末３に表示する検体検索画面６０を示している。検体検索画面６０では、操作者が検体ＩＤ検索文字列６１を入力し、検索実行ボタン６２を押したとき、入力した検体ＩＤ文字列６１を含む検体ＩＤ２２１を持つ検体情報２２の一覧を表示する。
【００４０】
例えば、検体ＩＤが９桁の数字である場合には、「７７７」を入力した場合に、検体ＩＤに「７７７」を含む検体情報が表示される。なお、図では「７７７」が先頭にある検体ＩＤを示しているが途中に「７７７」を含む検体ＩＤを抽出することも可能である。
【００４１】
ここで、検体情報２２の表示では、図６に示す属性に限らず、分析の進捗（例えば、分析未完了、分析書完了）や、分析結果の数値、検体に設定されたコメント文字列を表示してもよい。また、回収を指示するボタンを表示し、操作者がボタンを押すことで、検体の回収を指示できてもよい。
【００４２】
図７は、画面制御部１２が操作者端末３に表示する検体情報検索画面６０における検索候補の提示を示している。画面制御部１２は、検体ＩＤ文字列６１が部分的に入力された時点で、その文字列を含む検体情報２２のうち、設定された属性情報である優先条件情報２１の条件を満たす検体情報２２を検索結果候補として、該当する優先条件情報２１の条件名２１２とともに、表示する。
【００４３】
つまり、画面制御部１２は、画面に検体ＩＤの桁数未満の文字列が入力されたときに、優先条件設定部１１で設定された属性情報と入力された文字列に基づき、記憶部に記憶された検体情報から特定の検体情報を検索結果として画面に表示することができる。
【００４４】
例えば、図７は、検体ＩＤの「７７７」の条件に合致する検体情報のうち、図３の条件ＩＤ１からＩＤ４のいずれかの条件に合致する検体情報を検索結果候補として一覧表示した例である。この例では検体情報が４つ抽出されている。なお、条件ＩＤの論理式を組む設定を別途設け、条件ＩＤ１から条件ＩＤ４のＡＮＤ条件として検索することもできる。
【００４５】
このようにすることで例えば「７７７００４８８８」という９桁の数を入力することなく「７７７」を入力しただけでこの検体ＩＤの属性情報を確認することができる。
【００４６】
検索結果候補の集合は図８に示す次のアルゴリズムで求める。pを最初の優先条件情報２１のレコードとする(ステップ81)。sを最初の検体情報２２のレコードとする(ステップ82)。
【００４７】
sの属性が、pの優先度２１３、エラー２１４、滞在期間２１５の条件を満たすならば(ステップ83)、検索結果候補集合に、組(p,s)を追加する(ステップ84)。この判定と検索結果候補への追加の処理を、全ての検体情報２２について繰り返す(ステップ85、86)。ここで滞在期間は検体情報２２の投入時刻２２５と現在時刻の差分で計算する。
【００４８】
次に、全ての優先条件情報２１について、処理完了していないならば(ステップ87)、pを次の優先条件情報２１のレコードとし(ステップ88)、sを最初の検体情報レコードとし(ステップ89)、判定と検索結果候補への追加の処理(ステップ83、ステップ84)を再度実行する。全ての優先条件情報２１について、処理完了しているならば、検索結果候補集合を出力し(ステップ90)、処理完了とする。
【００４９】
このようなアルゴリズムにより、画面制御部１２は、記憶部に記憶された検体情報を検索し、優先情報設定部で設定された属性情報を含み、且つ、検体ＩＤの部分的な文字列を含む検体ＩＤに対応する検体情報を特定の検体情報として一覧表示することができる。
【００５０】
検体情報検索画面６０において、操作者がマウスデバイスによって、検索結果（検索候補）を1個、または複数個選択すると、選択した検体情報が検索結果として表示される。
【００５１】
このことによって、検索結果候補の中に検索した検体の情報があった場合、操作者は、検体ＩＤ２２１を全て入力することなく、検索対象の検体の情報を表示することができる。これによって、検体情報２２を検索する手間を削減できる。
【００５２】
なお、図７では、検索実行ボタン６２を設けているが、画面制御部１２は、入力された文字列を定期的又は文字列の更新時に取得し、新たに取得した部分的な文字列に基づき、特定の検体情報を更新して検索結果（検索候補）として画面に表示しても良い。
【００５３】
なお、本発明は上述した実施例に限定されるものではなく、様々な変形例が含まれる。
【００５４】
例えば、属性情報として、優先度、エラー、装置内の滞在時間を例として挙げたが、他にも、性別、年齢、測定依頼項目、正常値範囲の測定結果値などを属性情報に含めても良い。また、属性情報は、優先度に関しては例で示した通常や緊急以外でも優先度に関する優先度情報であれば良く、エラーに関しても、エラーそのものでなくともエラーコードなどエラーに関する情報であれば良く、装置内の滞在時間に関しても、時間そのものでなくとも滞在時間に関する情報であれば良い。
【００５５】
例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることがあり、また、ある実施例の構成に他の実施例の構成を加えることも可能である。また、各実施例の構成の一部について、他の構成の追加・削除・置換をすることが可能である。
【００５６】
また、画面制御設定支援部１及び操作端末部５の機能ブロック、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記憶装置、または、ＩＣカード、ＳＤカード、ＤＶＤ等の記憶媒体に置くことができる。
【００５７】
例えば、自動分析装置とは別に分析部を持たない情報処理装置に検索機能を持たせても良い。この場合でも、画面制御部は、画面に検体ＩＤの文字列の桁数未満からなる部分的な文字列（検体ＩＤの桁数未満の文字列）が入力されたときに、優先条件設定部で設定された属性情報と部分的な文字列に基づき、記憶部に記憶された検体情報から特定の検体情報を検索結果として前記画面に表示する。
【００５８】
また、上述の実施例において制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５９】
１        ：画面制御設定支援部
２        ：自動分析部
３        ：自動分析装置操作者端末
４        ：ネットワーク
１０      ：処理部
１１      ：優先条件設定部
１２      ：画面制御部
２０      ：記憶部
２１      ：優先条件情報
２２      ：検体情報
３０      ：ネットワークインタフェース
２００    ：優先条件情報設定画面
２０１    ：分析機構部
２０２    ：試薬ディスク
２０３    ：試薬プローブ
２０４    ：反応セル
２１１    ：条件ＩＤ
２１２    ：条件名
２１３    ：優先度
２１４    ：エラー
２１５    ：滞在時間
２１６    ：優先条件追加ボタン
２２１    ：検体ＩＤ
２２２    ：検体種別
２２３    ：優先度
２２４    ：エラー
２２５    ：投入時刻
６０      ：検体情報検索画面
６１      ：検体ＩＤ検索文字列
６２      ：検索実行ボタン
【図１】
2018037879.tif 000003
【図２】
2018037879.tif 000004
【図３】
2018037879.tif 000005
【図４】
2018037879.tif 000006
【図５】
2018037879.tif 000007
【図６】
2018037879.tif 000008
【図７】
2018037879.tif 000009
【図８】
2018037879.tif 000010
【国際調査報告】
2018037879.tif 000011
2018037879.tif 000012
2018037879.tif 000013
2018037879.tif 000014